(57)【要約】【課題】複数のプーリの間に周長方向に伸縮可能なベルトを巻掛ける作業を補助するベルト取付治具を使用するに際し、プーリの径長が異なるいずれのプーリに対しても装着することが可能なベルト取付治具を提供することにある。【解決手段】ベルト取付治具９は、クランクプーリ２の外周面に当接されるベルト導入部１０と、ベルト導入部１０の側面１０ａに設けられたベルトガイド板１１と、クランクプーリ２の回転軸回りに回転可能に取り付けられる治具本体１２と、治具本体１２に設けられたレール１３と、ベルトガイド板１１に固定され、レール１３に沿って移動可能なスライド台１６とを備えている。そして、レール１３に沿ってスライド台１６を摺動させることにより、ベルト導入部１０をクランクプーリ２の径内外方向Ｎに伸縮させることができる。【選択図】図１
2012002293.tif 000002
【特許請求の範囲】
【請求項１】
第一プーリと第二プーリの間に、周長方向に伸縮可能なベルトを、前記第一プーリと前記第二プーリの軸間距離を固定したまま巻掛けるに際し、前記第一プーリに装着して使用するベルト取付治具であって、
前記第一プーリの外周面に沿って当接されるベルト導入部と、
前記ベルト導入部に設けられ、前記第一プーリの側面から前記ベルト導入部上を交差して前記第一プーリの外周に導入される前記ベルトを屈曲して前記第一プーリの外周に案内するベルトガイド板と、
前記第一プーリの回転軸回りに回転可能に取り付けられる治具本体と、
前記治具本体が前記第一プーリの回転軸回りに回転可能に取り付けられた状態で、前記第一プーリの回転軸付近から径外方向に延びるように前記治具本体に設けられたレールと、
前記ベルトガイド板に固定され、前記レールに沿って移動可能なスライド台と、
を備えたことを特徴とするベルト取付治具。
【請求項２】
前記スライド台には、前記第一プーリの径長の違いによる外周の曲率の違いに合わせて前記ベルト導入部の位置を調整可能な調整用螺孔が設けられており、
螺子を前記調整用螺孔を介して前記ベルトガイド板に螺合することを特徴とする請求項１に記載のベルト取付治具。
【請求項３】
前記ベルト導入部は、前記ベルトガイド板が位置する側面に、前記第一プーリの側面に当接する当接部を有していることを特徴とする請求項１又は２に記載のベルト取付治具。
【請求項４】
前記ベルト導入部は、その両側面に前記第一プーリの両側面に当接する２つの当接部を有していることを特徴とする請求項１又は２に記載のベルト取付治具。
【請求項５】
前記治具本体には、貫通穴が設けられており、
前記貫通穴には、前記第一プーリの回転軸に挿着する回転用工具が挿入されることを特徴とする請求項１〜４の何れかに記載のベルト取付治具。
【発明の詳細な説明】
【技術分野】
【０００１】
本発明は、ベルト取付治具に関する。詳しくは、第一プーリと第二プーリの間へのベルトの巻掛け技術に関する。
【背景技術】
【０００２】
一般に、複数のプーリにベルトを巻掛けてなるベルト伝動機構では、プーリ間で確実に動力を伝達させるために装着対象であるプーリ間のレイアウト周長よりもベルト周長を短くしてベルトに強い張力がかかるようになっている。
【０００３】
このようにプーリ間のレイアウト周長よりもベルト周長が短いベルトをプーリに巻掛ける作業は手間がかかることがある。この手間を軽減させるために、特許文献１〜特許文献４には、ベルトを周方向に伸長させてプーリ外周に巻掛ける作業を補助する治具が開示されている。
【０００４】
例えば、特許文献４に開示されたベルト取付治具１は、ベルト２を伸長させて二段掛けプーリ３の手前側プーリ３ａを乗り越えさせ、奥側プーリ３ｂに取り付けるためのものであり、手前側プーリ３ａよりも手前側を通るベルト２を二段掛けプーリ３の外周側に導入する導入部５と、手前側プーリの外周側を覆い導入部５から導いたベルト２を奥側プーリ溝４ｂまで案内する差渡しガイド６と、奥側プーリ溝４ｂに挿通したベルト２の浮き上がりを押さえる押え片７と、導入部５、差渡しガイド６及び押え片７を二段掛けプーリ３の側面に取り付けるための取付部８とを備えている。ここで、取付部８は、ベルトの取付時にベルトからの反力によって取付治具がプーリ３から外れるのを防止する役割を果たしている。
【先行技術文献】
【特許文献】
【０００５】
【特許文献１】特開２００９−８１１５号公報
【特許文献２】特許第４１７１５１７号公報
【特許文献３】特許第３９９０２７７号公報
【特許文献４】特許第４４４４９０７号公報
【発明の概要】
【発明が解決しようとする課題】
【０００６】
もっとも、上記ベルト取付治具１は、プーリの径長が規定されているプーリ３に取り付ける際には十分使用できるが、プーリの径長が規定のものと異なる場合には流用できない。とすれば、プーリの径長に合わせたベルト取付治具１を新たに用意する必要があるが不経済である。
【０００７】
そこで、本発明は、上記のような課題を解決するためになされたものであり、その目的は、複数のプーリの間に周長方向に伸縮可能なベルトを巻掛ける作業を補助するベルト取付治具を使用するに際し、プーリの径長が異なるいずれのプーリに対しても装着することが可能なベルト取付治具を提供することにある。
【課題を解決するための手段】
【０００８】
上記課題を解決するための第１の発明は、第一プーリと第二プーリの間に、周長方向に伸縮可能なベルトを、前記第一プーリと前記第二プーリの軸間距離を固定したまま巻掛けるに際し、前記第一プーリに装着して使用するベルト取付治具であって、前記第一プーリの外周面に沿って当接されるベルト導入部と、前記ベルト導入部に設けられ、前記第一プーリの側面から前記ベルト導入部上を交差して前記第一プーリの外周に導入される前記ベルトを屈曲して前記第一プーリの外周に案内するベルトガイド板と、前記第一プーリの回転軸回りに回転可能に取り付けられる治具本体と、前記治具本体が前記第一プーリの回転軸回りに回転可能に取り付けられた状態で、前記第一プーリの回転軸付近から径外方向に延びるように前記治具本体に設けられたレールと、前記ベルトガイド板に固定され、前記レールに沿って移動可能なスライド台と、を備えたことを特徴としている。
【０００９】
上記の構成によれば、ベルト取付治具を第一プーリに装着するに際して、レールに沿ってスライド台を摺動させることにより、ベルト導入部を第一プーリの径内外方向に伸縮させることができる。これによれば、第一プーリの径長が異なるいずれの第一プーリに対してもベルト取付治具を装着することが可能となる。
【００１０】
また、第２の発明は、第１の発明に係るベルト取付治具において、前記スライド台には、前記第一プーリの径長の違いによる外周の曲率の違いに合わせて前記ベルト導入部の位置を調整可能な調整用螺孔が設けられており、螺子を前記調整用螺孔を介して前記ベルトガイド板に螺合することを特徴としている。
【００１１】
上記の構成によれば、螺子を、第一プーリの径長の違いによる外周の曲率の違いに合わせてベルト導入部の位置を調整可能な調整用螺孔を介してベルトガイド板に螺合することができる。これによれば、第一プーリの外周の曲率が異なる場合であっても、その外周に合わせてベルト導入部を当接させることが可能となる。
【００１２】
また、第３の発明は、第１又は第２の発明に係るベルト取付治具において、前記ベルト導入部は、前記ベルトガイド板が位置する側面に、前記第一プーリの側面に当接する当接部を有していることを特徴としている。
【００１３】
上記の構成によれば、ベルト導入部を第一プーリの径内外方向に伸縮させた際に、当接部を第一プーリの側面に当接することにより第一プーリの外周上でのベルト取付治具の姿勢を安定させることができる。また、当接部はベルト導入部のベルトガイド板が位置する側面にのみ設けられていることから、第一プーリの外周幅が変わっても第一プーリに装着可能である。
【００１４】
また、第４の発明は、第１又は第２の発明に係るベルト取付治具において、前記ベルト導入部は、その両側面に前記第一プーリの両側面に当接する２つの当接部を有していることを特徴としている。
【００１５】
上記の構成によれば、ベルト導入部を第一プーリの径内外方向に伸縮させた際に、２つの当接部を第一プーリの両側面に当接することにより第一プーリの外周上でのベルト取付治具の姿勢をより安定させることができる。
【００１６】
また、第５の発明は、第１〜第４の何れかの発明に係るベルト取付治具において、前記治具本体には、貫通穴が設けられており、前記貫通穴には、前記第一プーリの回転軸に挿着する回転用工具が挿入されることを特徴としている。
【００１７】
上記の構成によれば、貫通穴に回転用工具を挿入したうえで第一プーリの回転軸に挿着して、ベルト導入部を第一プーリの径内外方向に伸縮させると、ベルト導入部を第一プーリの外周上に姿勢よく安定して取り付けることができる。
【発明の効果】
【００１８】
複数のプーリの間に周長方向に伸縮可能なベルトを巻掛ける作業を補助するベルト取付治具を使用するに際し、プーリの径長が異なるいずれのプーリに対しても装着することが可能なベルト取付治具を提供することができる。
【図面の簡単な説明】
【００１９】
【図１】本実施形態に係るベルト取付治具の斜視図である。
【図２】本実施形態に係るエンジン本体の斜視図である。
【図３】本実施形態に係るクランクプーリの断面図である。
【図４】本実施形態に係るベルト取付治具の六面図である。
【図５】スライド台をレールに沿って摺動させた状態を示した説明図である。
【図６】本実施形態に係る調整用螺孔群の説明図である。
【図７】本実施形態に係るベルト取付治具の使用方法の第一説明図である。
【図８】本実施形態に係るベルト取付治具の使用方法の第二説明図である。
【図９】本実施形態に係るベルト取付治具の使用方法の第三説明図である。
【図１０】本実施形態に係るベルト取付治具の使用方法の第四説明図である。
【図１１】２つの当接部を備えたベルト取付治具の斜視図である。
【図１２】変形例１に係るベルト取付治具の斜視図である。
【図１３】変形例１に係るベルト取付治具の六面図である。
【図１４】変形例２に係るベルト取付治具の斜視図である。
【図１５】変形例２に係るベルト取付治具の六面図である。
【発明を実施するための形態】
【００２０】
（実施形態）
以下、図面を参照しつつ、本願発明の実施形態を説明する。図１に示す本実施形態に係るベルト取付治具９は、図２に示すクランクプーリ２とオルタネータのオルタネータプーリ３との間にＶリブドベルト４を巻掛けするのに用いる。先ず、図２を参照しつつ、クランクプーリ２とオルタネータプーリ３に対するＶリブドベルト４の巻掛けを説明し、図３を参照しつつ、クランクプーリ２の構造を説明する。
【００２１】
図２に示されるように、エンジン本体１には、エンジンのクランク軸に連結されるクランクプーリ２（第一プーリ）と、オルタネータの入力軸に連結されるオルタネータプーリ３（第二プーリ）と、が所定の軸間距離を隔てて回転自在に支持される。このクランクプーリ２とオルタネータプーリ３との間には、実線と破線で示すＶリブドベルト４が巻掛けされ、もって、クランク軸の動力が、クランクプーリ２、Ｖリブドベルト４、オルタネータプーリ３を順に介してオルタネータの入力軸に伝動されるようになっている。本実施形態では、クランクプーリ２とオルタネータプーリ３との間の軸間距離は変更不能とされ、また、図示するように、Ｖリブドベルト４に対して張力を付与する所謂オートテンショナ（張力付与手段）は搭載しない。
【００２２】
（クランクプーリ２の構造）
図３に示すように、クランクプーリ２は、Ｖリブドベルト４の内周に形成されるリブ４ａと嵌合可能な５つのプーリ溝２ａを有し、この５つのプーリ溝２ａをプーリ軸方向で挟む一対のプーリフランジ２ｂ（第一プーリの縁）を備えている。このプーリフランジ２ｂは、図３の断面視で、上記プーリ溝２ａよりプーリ径方向外側へ若干、突出して形成されている。また、クランクプーリ２のボス部５には、エンジンの図示しないクランク軸が挿入される。符号２ｃは、クランクプーリ２の側面を示す。なお、上記のＶリブドベルト４は、その周長方向において若干伸縮可能な所謂低モジュラスベルトである。低モジュラスベルトは、心線にポリアミド繊維を用いることで、弾性率を比較的低くしたものであり、高弾性率のもの（所謂高モジュラスベルト）と比較して急激な張力低下が抑制される。
【００２３】
なお、図２の太線矢印はＶリブドベルト４の走行方向を示し、この走行方向にＶリブドベルト４が走行するときのクランクプーリ２の回転方向を第一回転方向Ａと、この第一回転方向Ａと反対の方向を第二回転方向Ｂと、定義する。
【００２４】
（ベルト取付治具９の構成）
次に、図１及び図４〜６を参照しつつ、本実施形態に係るベルト取付治具９の構成を説明する。図１は、ベルト取付治具９の斜視図である。図４は、ベルト取付治具９の六面図である。図５は、スライド台１６をレール１３に沿って摺動させた状態を示した説明図である。図６は、調整用螺孔群４０の説明図である。
【００２５】
図１に示されるように、ベルト取付治具９は、クランクプーリ２の外周面に沿って当接されるベルト導入部１０と、ベルト導入部１０の側面１０ａに設けられたベルトガイド板１１と、クランクプーリ２の回転軸回りに回転可能に取り付けられる治具本体１２と、治具本体１２に設けられたレール１３と、ベルトガイド板１１に固定されておりレール１３に沿って移動可能なスライド台１６とを主たる構成として備える。このベルト取付治具９は、クランクプーリ２幅に略等しく、クランクプーリ２の外周に当接して使用するものであって、ベルトガイド板１１が図２に示されるクランクプーリ２の側面２ｃ上方に位置するように向きを定めて用いる。
【００２６】
ベルト導入部１０は、図８に示すようにベルト取付治具９がクランクプーリ２の外周に当接された状態で、プーリ溝２ａ（外周）を覆う。このベルト導入部１０は、クランクプーリ２のプーリ溝２ａに沿うように円弧状に湾曲され、少なくともＶリブドベルト４のベルト幅４ｗ以上の幅を有している。
【００２７】
なお、ベルト導入部１０の裏側に、クランクプーリ２のプーリ溝２ａと嵌合可能なリブを設けても良い。
【００２８】
ベルト導入部１０の側面１０ａには、クランクプーリ２の側面２ｃからベルト導入部１０上を交差してクランクプーリ２の外周に導入されるＶリブドベルト４を屈曲してクランクプーリ２の外周に案内するためのベルトガイド板１１が設けられている。このベルトガイド板１１は、Ｖリブドベルト４がクランクプーリ２の外周に導入される側、即ち、ベルト導入部１０の側面１０ａの第二回転方向Ｂ側に配されている。また、ベルトガイド板１１は、Ｖリブドベルト４をクランクプーリ２の外周に案内する際に当接する部分１１ａが曲面形状をしている。なお、ベルトガイド板１１とベルト導入部１０とは一体形成されていることが好ましい。
【００２９】
また、ベルト導入部１０の側面１０ａには、クランクプーリ２の側面２ｃに当接する当接部１８が設けられている。当接部１８は、図３に示されるクランクプーリ２の側面２ｃに対して当接ないし密着するよう、ベルト導入部１０の側面１０ａからクランクプーリ２の軸に向かって延在する。当接部１８においてＶリブドベルト４と接触する縁には面取りがなされ曲面形状になっている。これは、巻掛け時にＶリブドベルト４を損傷させないために設けている。なお、当接部１８は、ベルトガイド板１１を設けた側面１０ａと同一の側面であり、且つ、少なくともベルトガイド板１１を設けた側とは反対側の側面領域に設けられていればよい。即ち、ベルト取付治具９がクランクプーリ２の外周に配置されて、当接部１８がクランクプーリ２の側面２ｃに当接した状態で、当接部１８は、Ｖリブドベルト４が跨ぐプーリフランジ２ｂ部分に配置されていればよい。
【００３０】
なお、図１１（ａ）（ｂ）に示すように、ベルト導入部１０の側面１０ａとは反対の側面１０ｂに、クランクプーリ２の側面２ｃに当接する当接部１７を設けてもよい。この場合、ベルト導入部１０は、その両側面１０ａ・１０ｂにクランクプーリ２の両側面２ｃに当接する２つの当接部１７・１８を有することになる。
【００３１】
ベルト取付治具９は、クランクプーリ２の回転軸に固定する平板状の治具本体１２を備えている。この治具本体１２には円形状をした貫通穴１９が設けられている。この貫通穴１９は、図７に示すように、回転用工具２０の連結部２０ｂにレンチ固定部２０ａを嵌め込む際に、円筒状のレンチ固定部２０ａを貫通穴１９に挿入することにより、回転用工具２０にベルト取付治具９を取り付ける役割を果たす。
【００３２】
治具本体１２にはレール１３が設けられている。このレール１３は、治具本体１２がクランクプーリ２の回転軸に固定された状態で、貫通穴１９付近から径外方向に延びるようにして設けられている。また、レール１３は、図１に示すように、Ｘ−Ｘ´断面視でテーパ状になっており、後述するスライダー１４の案内溝１４ａに嵌め込まれて摺動する。
【００３３】
ベルトガイド板１１の側面１１ｂには、レール１３上を摺動するスライド台１６が固定ネジ３７・３８によって螺嵌されている。スライド台１６は、ベルトガイド板１１の側面１１ｂに固定ネジ３７・３８によって直接螺嵌される支持板１５と、レール１３を摺動可能に嵌め込む案内溝１４ａが設けられたスライダー１４とから構成されており、支持板１５とスライダー１４はネジにより螺嵌されている。なお、案内溝１４ａは、図１に示すように、レール１３を嵌め込めるようにＸ−Ｘ´断面視でテーパ状をしている。
【００３４】
ここで、スライド台１６は、図５（ａ）（ｂ）に示すように、スライダー１４の案内溝１４ａに嵌め込まれたレール１３に沿って摺動可能に移動する。
【００３５】
また、スライド台１６の支持板１５には、螺子孔３１・３３・３４・３５・３６、三日月状孔３２からなる調整用螺孔群４０が設けられている。この調整用螺孔群４０の中から２つの螺子孔を選択して、その選択した螺子孔を介して螺子３７・３８をベルトガイド板１１に螺合してスライド台１６を固定する。
【００３６】
本実施形態では、調整用螺孔群４０の中から螺子孔３１と三日月状孔３２を選択している。三日月状孔３２は、図６（ａ）に示されるように、螺子孔３１を中心とした三日月状の孔であり、三日月状孔３２を通して螺子３８が、ベルトガイド板１１に設けられたネジ孔（図示せず）に螺合される。そして、ベルトガイド板１１を含むベルト導入部１０の位置を変えたいときには、螺子３７・３８をゆるめ、螺子３８の頭部を指でつまんで螺子孔３１を軸にして三日月状孔３２に沿ってベルトガイド板１１を含むベルト導入部１０及び螺子３８を移動させ、所望の位置で再び螺子３７・３８を螺合する。これにより、図６（ｂ）に示すように、クランクプーリ２の径長の違いによる外周の曲率の違いに合わせてベルトガイド板１１を含むベルト導入部１０の位置を微調整することができる。
【００３７】
（ベルト取付治具９の使用方法）
次に、図７〜図１０を参照しつつ、上記のベルト取付治具９の使用方法を説明する。図７は、ベルト取付治具９の使用方法の第一説明図である。図８は、ベルト取付治具９の使用方法の第二説明図である。図９は、ベルト取付治具９の使用方法の第三説明図である。図１０は、ベルト取付治具９の使用方法の第四説明図である。
【００３８】
＜手順（ａ）＞
先ず、図７（ａ）に示されるように、回転用工具２０の連結部２０ｂにレンチ固定部２０ａを嵌め込む。その際に、円筒状のレンチ固定部２０ａをベルト取付治具９の貫通穴１９に挿入することにより、回転用工具２０にベルト取付治具９を取り付ける。次に、クランクプーリ２の径長に合わせてスライド台１６を、クランクプーリ２の径内外方向Ｎにレール１３に沿って摺動させる。更に、クランクプーリ２の径長の違いによるクランクプーリ２の外周の曲率の違いに合わせてベルトガイド板１１を含むベルト導入部１０の位置を微調整する。具体的には、螺子３７・３８をゆるめ、螺子３８の頭部を指でつまんで螺子孔３１を軸にして三日月状孔３２に沿ってベルトガイド板１１を含むベルト導入部１０及び螺子３８を移動させ、所望の位置で再び螺子３７・３８を螺合する。なお、螺子３７・３８を螺合する際、完全には締結せずにあえて緩く螺合することにより、ベルトガイド板１１を含むベルト導入部１０がわずかに動くような遊びをもうけてもよい。
【００３９】
＜手順（ｂ）＞
そして、図７（ｂ）に示すように、クランクプーリ２のボス部５に回転用工具２０の連結部２０ｂを連結し、レンチ固定部２０ａにレンチ５０を装着して、クランクプーリ２を手動で自由に回転できるようにする。この際、ベルト取付治具９の当接部１８がクランクプーリ２のプーリフランジ２ｂに接したうえで、ベルト導入部１０がクランクプーリ２の外周に沿って配置される。
【００４０】
＜手順（ｃ）＞
この状態で、図８に示すように、Ｖリブドベルト４をオルタネータプーリ３に巻掛けすると共に、クランクプーリ２の側面２ｃからプーリフランジ２ｂをカバーした当接部１８を跨いで、ベルトガイド板１１で屈曲させたうえでベルト導入部１０上を交差させてクランクプーリ２の外周に沿わせる。
【００４１】
詳しくは、オルタネータプーリ３に巻掛けしたＶリブドベルト４は、Ｖリブドベルト４の移動方向と反対の方向に順に、回転用工具２０、ベルト取付治具９、クランクプーリ２のプーリ溝２ａに対してこの順番で巻掛けする。即ち、Ｖリブドベルト４を、先ず、回転用工具２０に巻き掛ける。次に、Ｖリブドベルト４をベルトガイド板１１に引っ掛け、クランクプーリ２のプーリ溝２ａに沿わせる。
【００４２】
＜手順（ｄ）＞
次に、図９に示すように、第一回転方向Ａにクランクプーリ２を回転させる。詳しくは、先ず、図８の状態から図９の状態となるようにクランクプーリ２を、第一回転方向Ａに回転させる。すると、Ｖリブドベルト４には、伸張されることにより高い張力が発生する。上記張力は、Ｖリブドベルト４がベルト導入部１０上を交差しているのでベルト導入部１０をクランクプーリ２のプーリ溝２ａに対して押圧する押圧作用として働く。
【００４３】
継続して、図９の状態から図１０の状態となるようにクランクプーリ２を、第一回転方向Ａに回転させる。すると、クランクプーリ２の側面２ｃ上にあるＶリブドベルト４がプーリフランジ２ｂを乗り越えて、ベルト導入部１０上に移動する。
【００４４】
詳しくは、クランクプーリ２を、第一回転方向Ａに回転させると、クランクプーリ２のプーリ溝２ａに対するＶリブドベルト４の嵌合の領域が徐々に広範になる。
【００４５】
更に、クランクプーリ２を、第一回転方向Ａに回転させる。すると、ベルト導入部１０上のＶリブドベルト４がベルト導入部１０を離れてクランクプーリ２の外周へと移動する。この移動後、ベルト取付治具９をクランクプーリ２から取り外す。すると、図２に示すように、クランクプーリ２とオルタネータプーリ３との間にＶリブドベルト４が巻掛けされた状態になる。
【００４６】
以上説明したように、本実施形態に係るベルト取付治具９は、以下のように構成される。ベルト取付治具９は、クランクプーリ２の外周面に沿って当接されるベルト導入部１０と、ベルト導入部１０に設けられ、クランクプーリ２の側面２ｃからベルト導入部１０上を交差してクランクプーリ２の外周に導入されるＶリブドベルト４を屈曲してクランクプーリ２の外周に案内するベルトガイド板１１と、クランクプーリ２の回転軸回りに回転可能に取り付けられる治具本体１２と、治具本体１２がクランクプーリ２の回転軸回りに回転可能に取り付けられた状態で、クランクプーリ２の回転軸付近から径外方向に延びるように治具本体１２に設けられたレール１３と、ベルトガイド板１１に固定され、レール１３に沿って移動可能なスライド台１６とを備えている。
【００４７】
上記の構成によれば、ベルト取付治具９をクランクプーリ２に装着するに際して、レール１３に沿ってスライド台１６を摺動させることにより、ベルト導入部１０をクランクプーリ２の径内外方向Ｎに伸縮させることができる。これによれば、クランクプーリ２の径長が異なるいずれのクランクプーリ２に対してもベルト取付治具９を装着することが可能となる。
【００４８】
また、ベルト取付治具９において、スライド台１６の支持板１５には、クランクプーリ２の径長の違いによる外周の曲率の違いに合わせてベルト導入部１０の位置を調整可能な調整用螺孔群４０が設けられており、螺子３７・３８を調整用螺孔群４０を介してベルトガイド板１１に螺合するようになっている。
【００４９】
上記の構成によれば、螺子３７・３８を、クランクプーリ２の径長の違いによる外周の曲率の違いに合わせてベルト導入部１０の位置を調整可能な調整用螺孔群４０を介してベルトガイド板１１に螺合することができる。これによれば、クランクプーリ２の外周の曲率が異なる場合であっても、その外周に合わせてベルト導入部１０を当接させることが可能となる。
【００５０】
また、ベルト取付治具９のベルト導入部１０は、ベルトガイド板１１が位置する側面１０ａに、クランクプーリ２の側面２ｃに当接する当接部１８を有している。
【００５１】
上記の構成によれば、ベルト導入部１０をクランクプーリ２の径内外方向Ｎに伸縮させた際に、当接部１８をクランクプーリ２の側面２ｃに当接することによりクランクプーリ２の外周上でのベルト取付治具９の姿勢を安定させることができる。また、当接部１８はベルト導入部１０のベルトガイド板１１が位置する側面１０ａにのみ設けられていることから、クランクプーリ２の外周幅が変わってもクランクプーリ２に装着可能である。
【００５２】
また、ベルト取付治具９において、ベルト導入部１０の両側面１０ａ・１０ｂにクランクプーリ２の両側面２ｃに当接する２つの当接部１７・１８を有した構成にしてもよい。
【００５３】
上記の構成にした場合、ベルト導入部１０をクランクプーリ２の径内外方向Ｎに伸縮させた際に、２つの当接部１７・１８をクランクプーリ２の両側面２ｃに当接することによりクランクプーリ２の外周上でのベルト取付治具９の姿勢をより安定させることができる。
【００５４】
また、ベルト取付治具９において、治具本体１２には、貫通穴１９が設けられており、貫通穴１９には、クランクプーリ２のボス部５に挿着する回転用工具２０が挿入されるようになっている。
【００５５】
上記の構成によれば、貫通穴１９に回転用工具２０を挿入したうえでクランクプーリ２の回転軸にあたるボス部５に挿着して、ベルト導入部１０をクランクプーリ２の径内外方向Ｎに伸縮させると、ベルト導入部１０をクランクプーリ２の外周上に姿勢よく安定して取り付けることができる。
【００５６】
（変形例）
以上、本発明の実施形態について説明したが、本発明は上述の実施の形態に限られるものではなく、特許請求の範囲に記載した限りにおいて様々に変更して実施することができるものである。
【００５７】
（変形例１）
例えば、本実施形態において、スライド台１６の支持板１５に螺子３７・３８により固定されているベルトガイド板１１を含むベルト導入部１０は、他のものに付け替え可能である。
【００５８】
具体的には、図１２及び図１３に示すベルト取付治具１０９のように、ベルトガイド板１１１を含むベルト導入部１１０を支持板１５に固定してもよい。このベルト取付治具１０９は、ベルト導入部１１０と、ベルトガイド板１１１と、上記実施形態と同じ治具本体１２と、レール１３と、スライド台１６と、を主たる構成として備える。このベルト取付治具１０９は、更に、屈曲案内曲面１１１ａと、膨出部１１４と、当接部１１５と、ベルト導入部１１０の内周面に設けられ、プーリ溝２ａと嵌合可能なリブ１１２とを備えている。
【００５９】
上記の構成によれば、軸方向に並設される手前側プーリと奥側プーリを備える二段プーリの奥側プーリと、他のプーリとしての第二プーリと、の間に周長方向に伸縮可能なベルトを、奥側プーリと第二プーリの軸間距離を固定したまま巻掛けすることができるベルト取付治具１０９を提供することができる。
【００６０】
（変形例２）
図１４及び図１５に示すベルト取付治具２０９のように、ベルトガイド板２１１を含むベルト導入部２１０を支持板１５に固定してもよい。このベルト取付治具２０９は、ベルト導入部２１０と、ベルト導入部２１０の側面に設けられ、クランクプーリ２の側面２ｃからベルト導入部２１０を交差してクランクプーリ２の外周に導入されるＶリブドベルト４を屈曲してクランクプーリ２の外周に沿わせるためのベルトガイド板２１１と、ベルト導入部２１０の裏面に設けられ、クランクプーリ２の外周面に設けられたプーリ溝２ａに嵌合するリブ２１２と、上記実施形態と同じ治具本体１２と、レール１３と、スライド台１６と、を主たる構成として備える。また、図１５（ｂ）に示すように、ベルトガイド板２１１は、Ｖリブドベルト４を屈曲させる曲面２１１ａがベルト導入部２１０表面上に張り出し、Ｌ字型をしている。
【００６１】
上記の構成によれば、ベルトガイド板２１１の強度をあげることができる。これにより、ベルトガイド板２１１にかかるＶリブドベルト４の張力に十分に耐えることができるベルト取付治具２０９を提供するこができる。
【符号の説明】
【００６２】
１  エンジン本体
２  クランクプーリ
２ａ  プーリ溝
２ｂ  プーリフランジ
２ｃ  クランクプーリ２の側面
３  オルタネータプーリ
４  Ｖリブドベルト
５  ボス部
９  ベルト取付治具
１０  ベルト導入部
１０ａ  ベルト導入部１０の側面
１１  ベルトガイド板
１２  治具本体
１３  レール
１４  スライダー
１４ａ  案内溝
１５  支持板
１６  スライド台
１８  当接部
１９  貫通穴
２０  回転用工具
３２  三日月状孔
３７・３８  螺子
４０  調整用螺孔群
５０  レンチ
Ａ  第一回転方向
Ｂ  第二回転方向
【図１】
2012002293.tif 000003
【図２】
2012002293.tif 000004
【図３】
2012002293.tif 000005
【図５】
2012002293.tif 000006
【図６】
2012002293.tif 000007
【図７】
2012002293.tif 000008
【図８】
2012002293.tif 000009
【図９】
2012002293.tif 000010
【図１０】
2012002293.tif 000011
【図１１】
2012002293.tif 000012
【図１２】
2012002293.tif 000013
【図１３】
2012002293.tif 000014
【図１４】
2012002293.tif 000015
【図１５】
2012002293.tif 000016
【図４】
2012002293.tif 000017